(57)【要約】      （修正有）【課題】既設の電力量計からスマートメータへの交換作業によって分断された配線箇所を、作業現場に専用工具がなくても簡便に配線を直結することができる配線直結具を提供する。【解決手段】配線直結具は、箱形状の筐体２と、筐体２に取り付ける蓋体３と、筐体に配される電源側端子５１と負荷側端子５６を接続する電流線６３を備える。蓋体は少なくとも一部が透明又は半透明な材質からなる。筐体は既設の電力量計の筐体と互換性があること、また筐体と電流線と蓋体は、いずれも使用済み電力量計のリサイクル品であることが好ましい。【選択図】図２
0003197427.tif 000002
【実用新案登録請求の範囲】
【請求項１】
既設の電力量計からスマートメータへの交換作業によって分断された配線箇所を接続する配線直結具であって、前記分断された配線箇所と対応する電源側端子及び負荷側端子が配されている筐体と、前記電源側端子及び負荷側端子のうち、未接続の箇所を筐体内で接続する電流線と、前記電流線が視認可能な蓋体を備えることを特徴とする配線直結具。
【請求項２】
既設の電力量計からスマートメータへの交換作業によって分断された配線箇所を接続する配線直結具であって、前記分断された配線箇所と対応する電源側端子及び負荷側端子が配されている筐体と、前記電源側端子及び負荷側端子のうち、未接続の箇所を筐体内で接続する電流線と、前記筐体の蓋体を備え、前記筐体は既設の電力量計の筐体と互換性があることを特徴とする配線直結具。
【請求項３】
既設の電力量計からスマートメータへの交換作業によって分断された配線箇所を接続する配線直結具であって、前記分断された配線箇所と対応する電源側端子及び負荷側端子が配されている筐体と、前記電源側端子及び負荷側端子のうち、未接続の箇所を筐体内で接続する電流線と、前記筐体の蓋体を備え、前記筐体と前記電流線と前記蓋体は、いずれも使用済み電力量計のリサイクル品であることを特徴とする配線直結具。
【請求項４】
前記蓋体は、前記電流線が視認可能であるか、または、前記電流線と前記端子の接続点が視認可能であることを特徴とする請求項２または３記載の配線直結具。
【請求項５】
前記筐体と前記電流線と前記蓋体は、いずれも既設の電力量計の筐体と電流線と蓋体と同じ型式であることを特徴とする請求項１ないし３のいずれか１項記載の配線直結具。
【請求項６】
既設の電力量計は、タイムスイッチ及び受電用電力量計が前記スマートメータに交換される際に取り外されたものであることを特徴とする請求項１から５のいずれか一項記載の配線直結具。
【請求項７】
既設の電力量計は、太陽光発電や風力発電などの再生可能エネルギーによる発電装置の売電用電力量計及び受電用電力量計がスマートメータに交換される際に取り外された当該売電用電力量計又は当該受電用電力量計のいずれか一種であることを特徴とする請求項１から５のいずれか一項記載の配線直結具。
【考案の詳細な説明】
【技術分野】
【０００１】
本考案は、スマートメータへの交換に際して既設の電力量計を取り外す際に分断された配線箇所を接続する配線直結具である。
【背景技術】
【０００２】
電力量計は、電力会社との間で売買される電力を積算し計量する電気計器である。電力量計は動作原理や構造、用途などにより多種が存在するが、一般家庭などではアナログ式の誘導形電力量計が主流である。
近年、電力をデジタルで計測し、メーター内に通信機能を持たせた次世代電力量計として、スマートメータが商品化された。
スマートメータは、刻々と変わる電力消費量をほぼ自動的に把握し、検針員が巡回しなくても、遠方からリアルタイムで消費電力を知ることができることや、双方向通信機能を駆使し、電力消費量を知るだけでなく、家電製品と接続して使用電力を抑制し、電力供給を機動的に制御することができるなど多くの利点がある。
日本国では省エネ法が改正され、国内電力大手各社が管轄内における全顧客の既設の電力量計を、スマートメータに順次置き換えることになった。そのため、既設の電力量計からスマートメータへの移行が開始された。
【０００３】
単純な受電契約のみの場合、受電用電力量計を取り外すことで分断された配線箇所にスマートメータを接続するので分断されたままの状態は解消される。よって、特段支障はない。
しかし、上記の受電契約に加えて、温水器や融雪設備などでタイムスイッチを使用している場合、タイムスイッチ及び受電用電力量計を取り外すことで分断された配線箇所をスリーブ接続するなどの配線工事が必要となる。
ここで、タイムスイッチを使用している場合について、従来の電力量計をスマートメータに交換する場合の配置構成の例を図７に示す。図７（ａ）はタイムスイッチ３００と電力計２００がボックス１００に配されている例である。ここで、符号５１０は電源側ケーブルであり、符号５３０はタイムスイッチ３００と電力計２００との接続ケーブルであり、符号５５０は負荷側ケーブルである。図７（ｂ）はタイムスイッチ３００をスマートメータ４００に交換し、電力計２００を外した状態を示している。図７（ｃ）は電力計２００を外したことで分断された配線箇所をスリーブ接続した状態を示している。ここで、符号６１０，６２０は分断箇所をスリーブ接続した線である。
上記のスリーブ接続は作業現場にて専用工具を用いて行っているため、一定の作業スキルを有する工事作業者と専用工具が必要となる。さらに、スリーブはビニルテープなどの絶縁テープで覆われるため、接続点の検査が困難である。
【０００４】
また、太陽光発電や風力発電などの再生可能エネルギーによる発電装置の売電契約をしている場合、売電用電力量計及び受電用電力量計を取り外すことで分断された配線箇所のいずれかをスリーブ接続するなどの配線工事が必要となる。スリーブ接続は専用工具が必要であり、さらに、スリーブはビニルテープなどの絶縁テープで覆われるため、接続点の検査が困難である。
【０００５】
電力量計の取り外しとともに電源側引き込み配線と負荷側引き出し配線とを直結するものとしては、特許文献１や特許文献２が公知となっている。
【先行技術文献】
【特許文献】
【０００６】
【特許文献１】実公平３−１８２３号公報
【特許文献２】特開２００９−１５０７５３号公報
【考案の概要】
【考案が解決しようとする課題】
【０００７】
特許文献１や特許文献２に記載の従来技術は、電力量計を交換するときの一時的な断線による停電を防止するためのバイパスユニットに関するものであり、電力量計を取り外したままの状態とすることは想定しておらず、また、バイパスユニットは高価であり、一般家庭などでは、バイパスユニットのない普通電力量計が多く設置されているのが実情である。そして上述のとおり、受電契約のみならず、温水器契約や融雪契約をしている場合や、太陽光発電や風力発電などの再生可能エネルギーによる発電装置の売電契約をしている場合は、タイムスイッチ、受電用電力量計、または売電用電力量計を取り外すことで分断された配線箇所のいずれかをスリーブ接続するなどの配線工事が必要となるが、当該スリーブ接続は作業現場にて専用工具を用いて行っているため、一定の作業スキルを有する工事作業者と専用工具が必要となる。さらに、スリーブはビニルテープなどの絶縁テープで覆われるため、接続点の検査が困難である。
【０００８】
そこで本考案の目的は、既設の電力量計からスマートメータへの交換作業によって分断された配線箇所を、作業現場に専用工具がなくても簡便に配線を直結することができる新規な配線直結具を提供することを目的とする。
【課題を解決するための手段】
【０００９】
本考案の配線直結具は、既設の電力量計からスマートメータへの交換作業によって分断された配線箇所を接続する配線直結具であって、前記分断された配線箇所と対応する電源側端子及び負荷側端子が配されている筐体と、前記電源側端子及び負荷側端子のうち、未接続の箇所を筐体内で接続する電流線と、前記電流線が視認可能な蓋体を備えることを特徴とする。
【００１０】
本考案によれば、予め電源側端子と負荷側端子とが筐体内で接続されている構造であるから、作業現場に専用工具がなくても簡便に配線を直結することができる。そして、前記蓋体は前記電流線を視認可能であるから、既設の電力量計からスマートメータへの交換作業によって分断された配線箇所を直結した工事が終了したことが外部から認識可能である。ここで、前記蓋体は前記電流線と前記端子の接続点が視認できる構造とすると、前記電流線と前記端子の接続点の検査が容易となる。
【００１１】
前記蓋体の材質としては、プラスチック、ガラス、硬質金属や、これらの組み合せがある。例えば前記蓋体が透明または半透明のプラスチック製やガラス製であれば前記筐体内部の視認性が高くなる。
【００１２】
本考案は、既設の電力量計からスマートメータへの交換作業によって分断された配線箇所を接続する配線直結具であって、前記分断された配線箇所と対応する電源側端子及び負荷側端子が配されている筐体と、前記電源側端子及び負荷側端子のうち、未接続の箇所を筐体内で接続する電流線と、前記筐体の蓋体を備え、前記筐体は既設の電力量計の筐体と互換性があることを特徴とする。
【００１３】
本考案によれば、前記筐体は既設の電力量計の筐体と互換性があるので、既設の電力量計の取付位置と同じ位置で、ネジやボルトなどの固定手段によって、ドライバーなどの汎用工具で容易に取り付けできる。
【００１４】
本考案は、既設の電力量計からスマートメータへの交換作業によって分断された配線箇所を接続する配線直結具であって、前記分断された配線箇所と対応する電源側端子及び負荷側端子が配されている筐体と、前記電源側端子及び負荷側端子のうち、未接続の箇所を筐体内で接続する電流線と、前記筐体の蓋体を備え、前記筐体と前記電流線と前記蓋体は、いずれも使用済み電力量計のリサイクル品であることを特徴とする。
【００１５】
本考案によれば、使用済み電力量計をリサイクルすることで資源の有効利用が図られるとともに、製品コストを大幅に抑えることができる。本考案では、前記電流線は分断された配線の直結のみに使用されるので、電力量の計測ユニットなどは不要となり、使用済み電力量計をリサイクルする際に、筐体から取り外される。
【００１６】
本考案は、前記筐体と前記電流線と前記蓋体は、いずれも既設の電力量計の筐体と電流線と蓋体と同じ型式であることを特徴とする。
本考案によれば、合理的かつ効率的に資源の有効利用が図られるとともに、製品コストを大幅に抑えることができる。
【００１７】
本考案としては、前記蓋体は、前記電流線が視認可能であるか、または、前記電流線と前記端子の接続点が視認可能であることが好ましい。
【００１８】
本考案は、既設の電力量計は、タイムスイッチ及び受電用電力量計が前記スマートメータに交換される際に取り外されたものであることを特徴とする。
【００１９】
本考案によれば、温水器や融雪設備などでタイムスイッチを使用している場合の配線直結具として好適なものとなる。
【００２０】
本考案は、既設の電力量計は、太陽光発電や風力発電などの再生可能エネルギーによる発電装置の売電用電力量計及び受電用電力量計がスマートメータに交換される際に取り外された当該売電用電力量計又は当該受電用電力量計のいずれか一種であることを特徴とする。
【００２１】
本考案によれば、太陽光発電や風力発電などの再生可能エネルギーによる発電装置の売電契約をしている場合の配線直結具として好適なものとなる。
【考案の効果】
【００２２】
本考案の配線直結具によれば、既設の電力量計からスマートメータへの交換作業によって分断された配線箇所を、作業現場に専用工具がなくてもドライバーなどの汎用工具で容易に取り付けできる。そして、前記電流線と前記端子の接続点の検査が容易となる。また、接続した電流線であるかどうか、すなわち交換作業が終了したものであるかどうかを外部から確認できる。
本考案によれば、使用済み電力量計をリサイクルすることで資源の有効利用が図られるとともに、製品コストを大幅に抑えることができる
【図面の簡単な説明】
【００２３】
【図１】本考案の第１の実施形態の配線直結具を示す斜視図である。
【図２】上記第１の実施形態の配線直結具の内部構造を示す図である。
【図３】上記第１の実施形態の配線直結具の端子間の接続構造を示す図である。
【図４】本考案の第２の実施形態の配線直結具を示す斜視図である。
【図５】上記第２の実施形態の配線直結具の内部構造を示す図である。
【図６】上記第２の実施形態の配線直結具の端子間の接続構造を示す図である。
【図７】従来の電力量計をスマートメータに交換する場合の配置構成を示す図である。
【考案を実施するための形態】
【００２４】
本考案の実施の形態を図に基づいて以下に説明する。
【００２５】
（第１の実施の形態）
図１は、本考案の第１の実施形態の配線直結具１を正面側から示す斜視図である。図２は、本実施形態の配線直結具１の内部構造を示す図である。図２（ａ）は筐体２を正面側から示しており、図２（ｂ）は蓋体３を背面側から示している。図３は、本実施形態の配線直結具１の端子間の接続構造を示す図である。
本実施形態の配線直結具１は、箱形状の筐体２と、筐体２に取り付ける蓋体３と、筐体２に配される端子台５０と、端子台５０の保護カバー５７を備える（図１）。
前記端子台５０には、電源側端子５１、負荷側端子５６が配されている。電源側端子５１と負荷側端子５６とは、筐体内に配された電流線６３によって接続されている（図１〜図３）。端子５２は電源側端子と負荷側端子とが一体形成された端子であって端子台５０内に収まっている（図２、図３）。
【００２６】
本実施形態によれば、電流線６３によって電源側端子５１と負荷側端子５６とが筐体内で接続されている構造であるから、作業現場に専用工具がなくてもドライバーなどの汎用工具で簡便に配線を直結することができる。そして、本実施形態によれば、蓋体３は透明又は半透明なプラスチックからなるから、電流線６３と端子５１，５６の接続点の検査が容易となる（図１、図２）。
【００２７】
本実施形態の配線直結具１は、筐体２と電流線６３と蓋体３は、いずれも使用済み電力量計のリサイクル品である。図１〜図３に例示する配線直結具１は、単相２線式，１００Ｖ／２００Ｖ，３０Ａの電力量計をリサイクルしたものである。
【００２８】
本実施形態によれば、使用済み電力量計をリサイクルすることで資源の有効利用が図られるとともに、製品コストを大幅に抑えることができる。なお、本実施形態では、電力量の計測ユニットなどの計測ユニット類は不要となり、使用済み電力量計をリサイクルする際に、筐体２から取り外される。
【００２９】
（第２の実施の形態）
図４は、本考案の第２の実施形態の配線直結具１を正面側から示す斜視図である。図５は、本実施形態の配線直結具１の内部構造を示す図である。図５（ａ）は筐体２を正面側から示しており、図５（ｂ）は蓋体３を背面側から示している。図６は、本実施形態の配線直結具１の端子間の接続構造を示す図である。
本実施形態の配線直結具１は、箱形状の筐体２と、筐体２に取り付ける蓋体３と、筐体２に配される端子台５０と、端子台５０の保護カバー５７を備える（図４）。
前記端子台５０には、電源側端子５１と５３、負荷側端子５６と５４が配されている。電源側端子５１と負荷側端子５６とは、筐体内に配された電流線６１によって接続されており、電源側端子５３と負荷側端子５４とは、筐体内に配された電流線６２によって接続されている（図４〜図６）。端子５２は電源側端子と負荷側端子とが一体形成された端子であって端子台５０内に収まっている（図５、図６）。
【００３０】
本実施形態によれば、作業現場に専用工具がなくてもドライバーなどの汎用工具で簡便に配線を直結することができる。そして、本実施形態によれば、蓋体３には透明又は半透明なプラスチックからなる窓部材３１が配されているから、電流線６１と端子５１，５６の接続点、電流線６２と端子５３，５４の接続点の検査が容易となる（図４、図５）。
【００３１】
本実施形態の配線直結具１は、筐体２と電流線６１，６２と蓋体３は、いずれも使用済み電力量計のリサイクル品である。図４〜図６に例示する配線直結具１は、単相２線式／３線式，１００Ｖ／２００Ｖ，１２０Ａの電力量計をリサイクルしたものである。
【００３２】
本実施形態によれば、使用済み電力量計をリサイクルすることで資源の有効利用が図られるとともに、製品コストを大幅に抑えることができる。なお、本実施形態では、電流線６１，６２は分断された配線の直結のみに使用されるので、電力量の計測ユニットなどは不要となり、使用済み電力量計をリサイクルする際に、筐体２から取り外される。
【００３３】
上述の説明では、筐体２と電流線６１，６２と蓋体３は、いずれも使用済み電力量計のリサイクル品であるとして説明したが、これに限定されるものではなく、必要に応じて前記電流線などを新しいものと交換してもよい。このように、本考案はその運用上、適宜設定変更することが可能である。
【符号の説明】
【００３４】
１                    本考案の配線直結具、
２                    筐体、
３                    蓋体、
５０                  端子台、
５１、５３            電源側端子、
５２                  電源側端子と負荷側端子とが一体形成された端子、
５４、５６            負荷側端子、
５７                  保護カバー、
６１，６２，６３      未接続の箇所を筐体内で接続する電流線
【図１】
0003197427.tif 000003
【図２】
0003197427.tif 000004
【図３】
0003197427.tif 000005
【図４】
0003197427.tif 000006
【図５】
0003197427.tif 000007
【図６】
0003197427.tif 000008
【図７】
0003197427.tif 000009